(57)【要約】      （修正有）【課題】吸収冷温水機の稼働中であっても、腐食生成物用フィルタにより捕捉した腐食生成物の回収を可能にする。【解決手段】吸収冷温水機１の吸収液循環路２から延びた流出管路１１と、この流出管路１１に接続された第１吸収液槽１３と、流出管路１１を開閉する第１バルブ１２と、第１吸収液槽１３から延びて吸収液循環路２に接続された流入管路１５と、この流入管路１５を開閉する第２バルブ１６と、第１吸収液槽１３内で流出管路１１と流入管路１５との間に介在する励磁可能な腐食生成物用フィルタ１４と、この腐食生成物用フィルタ１４の下方に位置する腐食生成物受け部１３ａから延びた回収管路２０と、この回収管路２０に着脱可能に接続された第２吸収液槽３０と、回収管路２０を開閉する回収バルブ２１と、第２吸収液槽３０に設けられ、第１吸収液槽１３と第２吸収液槽３０との間の真空状態を維持する真空引き手段４０とを備えている。【選択図】図１
2011112349.tif 000002
【特許請求の範囲】
【請求項１】
吸収冷温水機の吸収液循環路内を流れる吸収液から腐食生成物を除去し回収する吸収冷温水機の腐食生成物除去装置であって、
前記吸収液循環路から延びた流出管路と、
この流出管路に接続された第１吸収液槽と、
前記流出管路を開閉する第１バルブと、
前記第１吸収液槽から延びて前記吸収液循環路に接続された流入管路と、
この流入管路を開閉する第２バルブと、
前記第１吸収液槽内で前記流出管路と前記流入管路との間に介在する励磁可能な腐食生成物用フィルタと、
前記腐食生成物用フィルタの下方に位置する前記第１吸収液槽の個所から延びた回収管路と、
この回収管路に着脱可能に接続された第２吸収液槽と、
前記回収管路を開閉する回収バルブと、
前記第２吸収液槽に設けられ、前記第１吸収液槽と前記第２吸収液槽との間の真空状態を維持する真空引き手段と
を備えたことを特徴とする吸収冷温水機の腐食生成物除去装置。
【請求項２】
請求項１に記載の吸収冷温水機の腐食生成物除去装置において、
前記第２吸収液槽の内側に設けられ、磁界内で磁化される性質を有する吸着部材と、
前記第２吸収液槽の外側において前記吸着部材に対し前記第２吸収液槽越しに吸着する永久磁石と、
をさらに備えたことを特徴とする吸収冷温水機の腐食生成物除去装置。
【発明の詳細な説明】
【技術分野】
【０００１】
本発明は、吸収冷温水機で使用される吸収液に混ざった腐食生成物を取り除く吸収冷温水機の腐食生成物除去装置に関する。
【背景技術】
【０００２】
吸収冷温水機においては、一般に、冷媒として水が用いられ、吸収液として臭化リチウム水溶液が用いられる。臭化リチウム水溶液は、吸収冷温水機の各部の主要構成材料として使用される金属を腐食させ、腐食生成物を生じさせる。腐食生成物は、臭化リチウム水溶液とともに流動し、配管の詰まりなどの故障を吸収冷温水機に生じさせることがある。したがって、腐食生成物除去装置を用いて臭化リチウム水溶液から腐食生成物を除去し回収することが行われる。
【０００３】
特許文献１に開示された腐食生成物除去装置は、臭化リチウム水溶液の循環経路に、腐食生成物用フィルタとしてのマグネットフィルタを備えている。このマグネットフィルタは、循環経路上に配された容器と、この容器の外側に配された永久磁石と、容器内に収容された多孔板とを備えている。つまり、容器内を臭化リチウム水溶液が通過する際、臭化リチウム水溶液に混ざっている腐食生成物が永久磁石の磁力の作用により多孔板に捕捉され、これによって、臭化リチウム水溶液から腐食生成物が除去されるようになっている。
【０００４】
多孔板に目詰まりが生じた場合、マグネットフィルタの清掃を行う。つまり、マグネットフィルタの容器から永久磁石を取り外し、多孔板から腐食生成物を回収する。
【先行技術文献】
【特許文献】
【０００５】
【特許文献１】実開昭５８−１１６９７５号公報（第４，第５頁）
【発明の概要】
【発明が解決しようとする課題】
【０００６】
前述の特許文献１に開示された腐食生成物除去装置においては、マグネットフィルタにより捕捉された腐食生成物を回収する際、マグネットフィルタを吸収冷温水機から取り外す。この際、このマグネットフィルタの容器は臭化リチウム水溶液の循環経路の一部をなしているため、吸収冷温水機の稼働を停止させる必要がある。
【０００７】
本発明は前述の事情を考慮してなされたものであり、その目的は、吸収冷温水機の稼働中であっても、腐食生成物用フィルタにより捕捉した腐食生成物を回収することができる吸収冷温水機の腐食生成物除去装置を提供することにある。
【課題を解決するための手段】
【０００８】
前述の目的を達成するために、本発明に係る吸収冷温水機の腐食生成物除去装置は次のように構成されている。
【０００９】
〔１〕  本発明に係る吸収冷温水機の腐食生成物除去装置は、吸収冷温水機の吸収液循環路内を流れる吸収液から腐食生成物を除去し回収する吸収冷温水機の腐食生成物除去装置であって、前記吸収液循環路から延びた流出管路と、この流出管路に接続された第１吸収液槽と、前記流出管路を開閉する第１バルブと、前記第１吸収液槽から延びて前記吸収液循環路に接続された流入管路と、この流入管路を開閉する第２バルブと、前記第１吸収液槽内で前記流出管路と前記流入管路との間に介在する励磁可能な腐食生成物用フィルタと、前記腐食生成物用フィルタの下方に位置する前記第１吸収液槽の個所から延びた回収管路と、この回収管路に着脱可能に接続された第２吸収液槽と、前記回収管路を開閉する回収バルブと、前記第２吸収液槽に設けられ、前記第１吸収液槽と前記第２吸収液槽との間の真空状態を維持する真空引き手段とを備えたことを特徴とする。
【００１０】
この「〔１〕」に記載の腐食生成物除去装置を用いて腐食生成物の除去作業を行う際、第１バルブと第２バルブの両方を開く。これにより、吸収液循環路内の吸収液の一部が流出管路および第１バルブを通じて第１吸収液槽に流入し、この第１吸収液槽から流入管路および第２バルブを通じて吸収液循環路に戻る、という吸収液から腐食生成物を除去するための吸収液の流れが生じる。この吸収液の流れの中で、吸収液に混ざった腐食生成物は腐食生成物用フィルタによって捕捉される。この腐食生成物の捕捉の際、腐食生成物用フィルタが励磁状態であることにより、腐食生成物は腐食生成物用フィルタに吸着された状態に保持される。腐食生成物用フィルタの励磁を解くと、腐食生成物は腐食生成物用フィルタの下部周辺に沈降して堆積する。腐食生成物用フィルタの下方には回収管路が位置するので、真空引き手段により第２吸収液槽の真空引きを行いつつ回収バルブを開けると、腐食生成物用フィルタの下部周辺に堆積した腐食生成物は、第１吸収液槽内の吸収液とともに回収管路および回収バルブを通じて第２吸収液槽に流れる。このようにして第２吸収液槽に腐食生成物を移した後、回収バルブを閉じて第２吸収液槽を回収管路から取り外す。
【００１１】
この腐食生成物の除去作業では、吸収液から腐食生成物を除去するための吸収液の流れの経路外に位置する第２吸収液槽に、腐食生成物用フィルタによって捕捉された腐食生成物を移し、回収バルブを閉じて第２吸収液槽を回収管路から取り外すので、吸収冷温水機の稼働中であっても、腐食生成物用フィルタにより捕捉された腐食生成物を回収することができる。
【００１２】
〔２〕  本発明に係る吸収冷温水機の腐食生成物除去装置は、「〔１〕」に記載の吸収冷温水機の腐食生成物除去装置において、前記第２吸収液槽の内側に設けられ、磁界内で磁化される性質を有する吸着部材と、前記第２吸収液槽の外側において前記吸着部材に対し前記第２吸収液槽越しに吸着する永久磁石とをさらに備えたことを特徴とする。
【００１３】
この「〔２〕」に記載の腐食生成物除去装置は、永久磁石により磁化された吸着部材に第２吸収液槽内の腐食生成物を吸着させることによって、吸着部材の位置に腐食生成物を集めて保持することができるとともに、永久磁石を第２吸収液槽から取り外すことによって吸着部材から腐食生成物を離脱させやすくすることができる。これにより第２吸収液槽に回収した腐食生成物混じりの吸収液を、容易に腐食生成物と吸収液とに分けて取り除くことができる。
【発明の効果】
【００１４】
本発明に係る吸収冷温水機の腐食生成物除去装置によれば、前述のように、吸収冷温水機の稼働中であっても、腐食生成物用フィルタにより捕捉された腐食生成物を回収することができる。
【図面の簡単な説明】
【００１５】
【図１】本発明の一実施形態に係る吸収冷温水機の腐食生成物除去装置の構成を示す図である。
【発明を実施するための形態】
【００１６】
本発明の一実施形態に係る吸収冷温水機の腐食生成物除去装置について図１を用いて説明する。
【００１７】
図１において、１は吸収冷温水機である。この吸収冷温水機１は、臭化リチウム水溶液からなる吸収液が循環する吸収液循環路２を備えている。この吸収液循環路２には、吸収液を抽出するための抽出用サンプリングバルブ３と、吸収液を封入するための封入用サンプリングバルブ４とが設けられている。これら抽出用サンプリングバルブ３と封入用サンプリングバルブ４とに、本実施形態に係る腐食生成物除去装置１０は接続されている。
【００１８】
具体的には、腐食生成物除去装置１０は、抽出用サンプリングバルブ３から延びた流出管路１１と、この流出管路１１に接続された第１吸収液槽１３と、第１吸収液槽１３から延びて封入用サンプリングバルブ４に接続された流入管路１５とを備えている。
【００１９】
流出管路１１には、これを開閉する第１バルブ１２が設けられており、流入管路１５には、これを開閉する第２バルブ１６が設けられている。
【００２０】
第１吸収液槽１３内には励磁可能な腐食生成物用フィルタ１４が設けられている。この腐食生成物用フィルタ１４は、流出管路１１と流入管路１５との間に介在している。第１吸収液槽１３の底部には、凹形状の腐食生成物受け部１３ａが設けられている。腐食生成物用フィルタ１４は、その腐食生成物受け部１３ａに対し腐食生成物用フィルタ１４の下端部を挿入されて立ち上げられた状態に保持されている。
【００２１】
腐食生成物用フィルタ１４の下方に位置する第１吸収液槽１３の個所、すなわち腐食生成物受け部１３ａからは、回収管路２０が延びている。この回収管路２０には、この回収管路２０を開閉する回収バルブ２１が設けられているとともに、第２吸収液槽３０が着脱可能に接続されている。
【００２２】
第２吸収液槽３０の内側の底部には、磁界内で磁化される性質を有する吸着部材３１が設けられている。第２吸収液槽の外側の底部には、吸着部材３１に対し第２吸収液槽３０越しに吸着する永久磁石３２が設けられている。これら吸着部材３１と永久磁石３２は、永久磁石３２の磁力により第２吸収液槽３０の底部を挟持することによって、第２吸収液槽３０に装着されている。つまり、吸着部材３１と永久磁石３２は第２吸収液槽３０に対して着脱可能である。永久磁石３２の形状寸法は、第２吸収液槽３０の外側の底部の略全体を覆う大きさの板状に形成されており、吸着部材３１の形状寸法は、第２吸収液槽３０の内側の底部の略全体を覆う大きさで、上方に向かって開口したトレー状に形成されている。
【００２３】
また、第２吸収液槽３０には、第１吸収液槽１３と第２吸収液槽３０との間の真空状態を維持する真空引き手段４０が設けられている。この真空引き手段４０は、第２吸収液槽３０から延びた真空引き管路４１と、この真空引き管路４１に接続された真空ポンプ４２と、真空引き管路４１を開閉する真空引きバルブ４３とを備えている。
【００２４】
このように構成された腐食生成物除去装置を用いて腐食生成物の除去作業を行う際、抽出用サンプリングバルブ３、第１バルブ１２、第２バルブ１６および封入用サンプリングバルブ４を開く。これにより、吸収液循環路２内の吸収液の一部がＳ１で示すように抽出用サンプリングバルブ３、流出管路１１および第１バルブ１２を通じて第１吸収液槽１３に流入し、この第１吸収液槽１３から流入管路１５、第２バルブ１６および封入用サンプリングバルブ４を通じて吸収液循環路２に戻る、という吸収液から腐食生成物を除去するための吸収液の流れ（矢印Ａ〜Ｅで示す）が生じる。この吸収液の流れの中で、吸収液Ｓ１に混ざった腐食生成物は腐食生成物用フィルタ１４によって捕捉される。この腐食生成物の捕捉の際、腐食生成物用フィルタ１４が励磁状態であることにより、腐食生成物はＲ１で示すように腐食生成物用フィルタ１４に吸着された状態に保持される。腐食生成物用フィルタ１４の励磁を解くと、腐食生成物Ｒ１は矢印Ｆで示すように腐食生成物用フィルタ１４の下部周辺に沈降して、腐食生成物受け部１３ａ内にＲ２で示すように堆積する。この腐食生成物受け部１３ａの下方には回収管路２０が位置するので、真空引き手段４０により第２吸収液槽３０の真空引きを行いつつ回収バルブ２１を開けると、腐食生成物受け部１３ａに堆積した腐食生成物Ｒ２は、第１吸収液槽１３内の吸収液とともに回収管路２０および回収バルブ２１を通じて、矢印Ｇで示すように第２吸収液槽３０に流れる。このようにして第２吸収液槽３０に腐食生成物Ｒ２を移した後、回収バルブ２１および真空引きバルブ４３を閉じて第２吸収液槽３０を回収管路２０から取り外す。
【００２５】
なお、回収バルブ２１を開ける前に、第１バルブ１２および第２バルブ１６を閉じておくことによって、第２吸収液槽３０に流入する吸収液の最大量は、第１吸収液槽１１内の吸収液の量と、第１バルブ１２と第１吸収液槽１３との間に位置する流出管路１１の部分内の吸収液の量と、第２バルブ１６と第１吸収液槽１３との間に位置する流入管路１５の部分内の吸収液の量とを合計した量に設定される。つまり、必要以上の吸収液が第２吸収液槽３０に流入することが防止される。
【００２６】
回収管路２０から取り外した第２吸収液槽３０内では、吸収液Ｓ２中の腐食生成物はＲ３に示すように、永久磁石３２により磁化された吸着部材３１に吸着した状態で堆積している。この状態を利用し、第２吸収液槽３０から吸収液のみを回収する。その後、永久磁石３２を第２吸収液槽３０から取り外して、第２吸収液槽３０から吸着部材３１を、腐食生成物がこぼれないように取り外した後、その吸着部材３１から腐食生成物を回収する。これで、腐食生成物の吸収液からの除去および回収作業が終了する。
【００２７】
本実施形態に係る腐食生成物除去装置１０によれば次の効果を得られる。
【００２８】
本実施形態に係る腐食生成物除去装置１０を用いた腐食生成物の除去作業では、吸収液から腐食生成物を除去するための吸収液の流れの経路外に位置する第２吸収液槽３０に、腐食生成物用フィルタ１４によって捕捉された腐食生成物Ｒ２を移し、回収バルブ２１を閉じて第２吸収液槽３０を回収管路２０から取り外すので、吸収冷温水機１の稼働中であっても、腐食生成物用フィルタ１４により捕捉された腐食生成物Ｒ２を回収することができる。
【００２９】
本実施形態に係る腐食生成物除去装置１０は、永久磁石３２により磁化された吸着部材３１に第２吸収液槽３０内の腐食生成物を吸着させることによって、吸収液Ｓ２中の吸着部材３１の位置にＲ３で示すように腐食生成物を集めて保持することができるとともに、永久磁石３２を第２吸収液槽３０から取り外すことによって吸着部材３１から腐食生成物Ｒ３を離脱させやすくすることができ、これにより第２吸収液槽３０に回収した腐食生成物混じりの吸収液Ｓ２を、容易に腐食生成物Ｒ３と吸収液Ｓ２とに分けて取り除くことができる。
【００３０】
本実施形態に係る腐食生成物除去装置１０において、吸着部材３１は第２吸収液槽３０に対して着脱可能であり、かつトレー状であるので、腐食生成物が堆積した状態の吸着部材３１を第２吸収液槽３０から取り外すことにより、第２吸収液槽３０内の腐食生成物を第２吸収液槽３０から容易に取り除くことができ、かつ、吸着部材３１から腐食生成物を容易に回収することができる。
【符号の説明】
【００３１】
１  吸収冷温水機
２  吸収液循環路
３  抽出用サンプリングバルブ
４  封入用サンプリングバルブ
１０  腐食生成物除去装置
１１  流出管路
１２  第１バルブ
１３  第１吸収液槽
１３ａ  腐食生成物受け部
１４  腐食生成物用フィルタ
１５  流出管路
１６  第２バルブ
２０  回収管路
２１  回収バルブ
３０  第２吸収液槽
３１  吸着部材
３２  永久磁石
４０  真空引き手段
４１  真空引き管路
４２  真空ポンプ
４３  真空引きバルブ
【図１】
2011112349.tif 000003